【手続補正書】
【提出日】平成17年7月11日(2005.7.11)
【手続補正１】
【補正対象書類名】明細書
【補正対象項目名】請求項１
【補正方法】変更
【補正の内容】
【請求項１】
結晶融点が１２０〜２３０℃の３−ヒドロキシ酪酸系脂肪族ポリエステル樹脂を主体とする樹脂（Ａ）１００重量部に対し、液状添加剤（Ｂ）１〜２０重量部を含む樹脂組成物（Ｃ）からなる延伸フィルムであって、フィルムの結晶化度が２０〜７０％、引張弾性率が２０〜１５０ｋｇ／ｍｍ2 であり、１００℃における加熱収縮率Ｘ％と加熱収縮応力Ｙｇ／ｍｍ2 とが、下記の関係式の式（１）〜式（３）の範囲内にあり、耐熱性が１２０℃以上であることを特徴とする密着耐熱性ラップフィルム。
式（１）  Ｙ≦（１４００−２０Ｘ）／３
式（２）  ２≦Ｘ≦４５
式（３）  ５≦Ｙ≦３５０
【手続補正２】
【補正対象書類名】明細書
【補正対象項目名】請求項６
【補正方法】変更
【補正の内容】
【請求項６】
液状添加剤（Ｂ）が、脂肪族系アルコール、脂環族系アルコール及びこれらの多価アルコール、並びにこれらの縮重合物から選ばれる少なくとも一種のアルコール成分と、脂肪族脂肪酸、脂肪族多価カルボン酸、芳香族多価カルボン酸から選ばれる少なくとも一種の酸成分とのエステル、脂肪族ヒドロキシカルボン酸とアルコール及び／または脂肪酸とのエステル、及びこれらエステルの変性物、ポリオキシエチレンアルキルエーテル及びそのエステル、脂肪族ポリエステルのオリゴマー、ミネラルオイル、流動パラフィン、飽和炭化水素化合物よりなる低重合物からなる群から選択される少なくとも１種の可塑剤からなることを特徴とする請求項１または５に記載の密着耐熱性ラップフィルム。
【手続補正３】
【補正対象書類名】明細書
【補正対象項目名】０００５
【補正方法】変更
【補正の内容】
【０００５】
【課題を解決するための手段】
即ち本発明は、結晶融点が１２０〜２３０℃の３−ヒドロキシ酪酸系脂肪族ポリエステル樹脂を主体とする樹脂（Ａ）１００重量部に対し、液状添加剤（Ｂ）１〜２０重量部を含む樹脂組成物（Ｃ）からなる延伸フィルムであって、フィルムの結晶化度が２０〜７０％で、引張弾性率が２０〜１５０ｋｇ／ｍｍ2 であり、１００℃における加熱収縮率Ｘ％と加熱収縮応力Ｙｇ／ｍｍ2 とが、下記の関係式の式（１）〜式（３）の範囲内にあり、耐熱性が１２０℃以上であることを特徴とする密着耐熱性ラップフィルムである。
式（１）  Ｙ≦（１４００−２０Ｘ）／３
式（２）  ２≦Ｘ≦４５
式（３）  ５≦Ｙ≦３５０
以下、本発明について詳細に説明する。
【手続補正４】
【補正対象書類名】明細書
【補正対象項目名】００２２
【補正方法】変更
【補正の内容】
【００２２】
本フイルムでの耐熱性の範囲は１２０℃以上、好ましくは１３０℃以上、より好ましくは１４０℃以上である。その下限の理由は、電子レンジ等で加熱中の包装破れ等によるフイルム収縮で内容物の飛散、乾燥しすぎ、水分不足で局部加熱になる等であり、その上限は特に限定しないが他の特性と連動（例えば、加工性の悪化、引っ張り弾性率の高過ぎ等）しているため、好ましくは２３０℃程度である。又、上記の範囲の理由は、電子レンジ等での加熱初期は約１００℃の水蒸気でフイルムが破損しなければ当面良いが、内容物と接触している部分が（加熱終了期、特に水蒸気が少なくなった場合）内容物に油成分と塩類の混合物が存在すると特に高温になる場合があり、また耐熱性が悪いと孔があき広がったり、フイルム成分が溶け衛生上好ましくないばかりか、容器無しで包装し加熱した場合、フイルムが溶着してしまい、更に包装物を取り出し中に、真空状態に密着し内容物をバラバラにしないとそのまま取り出し不可になったりする場合があるからである。
【手続補正５】
【補正対象書類名】明細書
【補正対象項目名】００３７
【補正方法】変更
【補正の内容】
【００３７】
又、包装性、その他に関する本発明での参考チェックポイントは、数値化が困難な官能的な性能も含む以下の項目を好ましく満たすことである。
(i) 小巻ロールのエージング保存性（３０ｃｍ幅で５０ｍ巻きの箱に入れた製品を３０℃、関係湿度６５％の雰囲気下で３０日保存時）
ロール端部からの添加剤滲みだし、フイルムの適度な剥離性、フイルム表面のべとつき等に問題無きこと。
(ii)  ロールの箱からの引き出し性
フイルム端部が伸び、静電気がひどく発生しなくて手・箱等にステックしなく、且つフイルムが展張し易く手で掴みやすいこと、引き出し抵抗性が適度で有ること。
(iii) カツト性
フイルムが展張したままで皺がよることなく、適度な抵抗で、心地良く（軽い音もたて）、伸びて永久変形する事なく、正確にカット出来ること。
(iv)  フイルム展張性
切断後のフイルムが皺よったり、重なったりする事なく、被包装物にうまくラッピング出来ること。
【手続補正６】
【補正対象書類名】明細書
【補正対象項目名】００３８
【補正方法】変更
【補正の内容】
【００３８】
(v) 密着性
容器（磁器、合成樹脂製とも）の種類にこだわること無く、又は容器無しでも、フイルム−容器間、フイルム−被包装物間、フイルム間同士でも重なった部分が膨れあがることなく、密着すること、又それが低温保存中、加熱中でも外れてこないこと。
(vi)  耐熱性加熱中に、裂けたり、溶融して穴があいたり、フイルムが内圧に負けて伸び異常に膨れあがらないこと。
(vii) 保存中及び加熱中に、味の変化・衛生性の悪化、食品に臭いの発生、添加剤の移行、フイルムの破片の混入がないこと。
(viii)  加熱後フイルムを簡単に除去出来やすいこと、フイルム同士が溶着して剥離出来なくなったり、場合により内容物に、又は容器（特に合成樹脂製）に溶着し汚さないこと。
(ix)  使用後の廃棄処理に問題が少ないこと。
【手続補正７】
【補正対象書類名】明細書
【補正対象項目名】００４４
【補正方法】変更
【補正の内容】
【００４４】
比１は、フイルムの弾性率が高過ぎる為、又密着性がほとんど無い為に、カット時にフイルムが箱先の押さえの部分に固定出来難く、ロールがブロッキングし引っ張り出し難かったり、局部的にずれ出てきたりして、刃先に食い込み難く、切断面が刃先から外れ斜めに裂けたりし、著しくカット性が悪かった。又、包装性が悪く（静電気でフイルム同士がくっついたり、どこか勝手な所にくっついたり、とは言っても肝心な容器、及びフイルム同士への密着性が全く無く、フイルムが広がってしまい包装を固定できない）使いものにならなかった。比２は、カット性は実施例に比し柔らかすぎてやや物足りない感じはあったが、べとつき、カット直後の、フイルムの展張保持性が悪く、オーバーラップ性がかえって悪かった。
【手続補正８】
【補正対象書類名】明細書
【補正対象項目名】００４５
【補正方法】変更
【補正の内容】
【００４５】
次に電子レンジでの加熱時では、比１はフイルムが上記の様に密着しないので水蒸気が漏れやすく、局部加熱になりやすく、内容物が外にこぼれ易く、食品の味もまずく成ってしまつた。比２はフイルムの収縮性が高く、密着部がずれて、フイルムと容器が剥がれ易く、内容物（カレー）との接触部が加熱時間がやや長い時は破れ、又プラスチックス（ＰＰ；ポリプロピレン）製の容器の場合は容器に部分的に溶着し、フイルムの剥離後に容器を汚してしまう現象が見られた。実施例１，２のこれらの不良現象はいずれも全くなく、良好に包装及び加熱でき、後で容易にフイルムを剥離除去出来、且つ調理品の味も良好であり、本発明の好ましい範囲内の特性であった。
【手続補正９】
【補正対象書類名】明細書
【補正対象項目名】００５５
【補正方法】変更
【補正の内容】
【００５５】
【発明の効果】
本発明によれば、包装時の種々の要求特性（引き出し性、カット性、展張ハンドリング性、密着固定性、耐熱性、容器の種類、容器無しの場合等）を叶え、且つ廃棄処理も容易なハウスホールドラップ用フイルムを提供することができた。